(57)【要約】      （修正有）【課題】複写結果から電子化された情報の検索を容易にし、資源や時間の無駄を無くすことができる複写機を提供する。【解決手段】画像情報記憶部に記憶したデジタル画像情報をプリンタ部により印刷用紙にプリントするか、光ディスクドライブ装置により光ディスクに記録するか、又はプリンタ部により印刷用紙にプリントすると共に光ディスクに記録するかを選択する選択制御手段と、選択制御手段によってプリンタ部により印刷用紙にプリントすると共に光ディスクドライブ装置により光ディスクに記録するように選択された場合、原稿を複写した画像情報が光ディスクに記録保存されていることを示す識別情報を生成する識別情報を生成手段とを備え、プリンタ部により印刷用紙にプリントされる原稿を複写した画像情報に、光ディスクに記録保存されていることを示す識別情報を付加してプリントするように選択制御する。【選択図】図３
2008078834.tif 000002
【特許請求の範囲】
【請求項１】
原稿の光学的画像情報を読み取り、デジタル画像情報に変換するスキャナ部と、前記スキャナ部により変換された前記デジタル画像情報を記憶する画像情報記憶部と、前記画像情報記憶部に記憶した前記デジタル画像情報を印刷用紙にプリントするプリンタ部と、前記画像情報記憶部に記憶した前記デジタル画像情報を光ディスクに記録するための光ディスクドライブ装置と、を備えた画像形成装置であって、
前記画像情報記憶部に記憶した前記デジタル画像情報を前記プリンタ部により印刷用紙にプリントするか、前記光ディスクドライブ装置により光ディスクに記録するか、又は前記プリンタ部により印刷用紙にプリントすると共に前記光ディスクドライブ装置により光ディスクに記録するかを選択する選択制御手段と、
前記選択制御手段によって前記プリンタ部により印刷用紙にプリントすると共に前記光ディスクドライブ装置により光ディスクに記録するように選択された場合、前記原稿を複写した前記画像情報が前記光ディスクに記録保存されていることを示す識別情報を生成する識別情報を生成手段と、を備え、
前記選択制御手段が、前記デジタル画像情報を前記プリンタ部により前記印刷用紙にプリントすると共に前記光ディスクドライブ装置により光ディスクに記録するように選択された場合、前記プリンタ部により前記印刷用紙にプリントされる前記原稿を複写した画像情報に、前記原稿を複写した画像情報が前記光ディスクに記録保存されていることを示す識別情報を付加してプリントするように選択制御することを特徴とする画像形成装置。
【請求項２】
前記選択制御手段が、前記デジタル画像情報を前記プリンタ部により印刷用紙にプリントすると共に前記光ディスクドライブ装置により光ディスクに記録するように選択された場合、さらに、前記原稿を複写した画像情報を記録保存した前記光ディスクのラベル面に、プリントした印刷用紙に付加された前記識別情報と関連付けられた識別情報を付加するように選択制御することを特徴とする請求項１に記載の画像形成装置。
【請求項３】
前記識別情報が、前記印刷用紙における原稿を複写した画像情報をプリントする面とは反対の面にプリントされることを特徴とする請求項１に記載の画像形成装置。
【請求項４】
使用の際に個人認証を行って操作者個人を特定する検知手段を備えることを特徴とする請求項１に記載の画像形成装置。
【請求項５】
原稿の光学的画像情報を読み取り、デジタル画像情報に変換するスキャナ部と、前記スキャナ部により変換された前記デジタル画像情報を記憶する画像情報記憶部と、前記画像情報記憶部に記憶した前記デジタル画像情報を印刷用紙にプリントするプリンタ部と、を備えた画像形成装置であって、
前記原稿を複写した画像情報を前記プリンタ部により印刷用紙にプリントした後に前記画像情報を前記画像情報記憶部から消去すると共に、前記プリンタ部により前記印刷用紙にプリントされる画像に前記原稿を複写した画像情報に加えて、前記原稿を複写した画像情報を前記画像情報記憶部から消去したことを示す識別情報を付加してプリントするように制御する蓄積選択制御手段を備えることを特徴とする画像形成装置。
【請求項６】
前記画像情報記憶部が、前記印刷用紙へのプリントのために一時的に画像情報を記憶するための一次記憶領域と、前記画像情報の蓄積保存を行うアーカイブ領域とからなり、前記蓄積選択制御手段が、前記一次記憶領域にある前記画像情報を、印刷用紙へのプリントの後に、前記アーカイブ領域に蓄積保存する／しないを選択する選択制御を行うことを特徴とする請求項５に記載の画像形成装置。
【発明の詳細な説明】
【技術分野】
【０００１】
この発明は、スキャナ部、画像記憶部、プリンタ部及び光ディスクドライブ装置をもち、印刷用紙へのプリントと光ディスクへの記録という出力先への選択機能を有する画像形成装置に関し、特に、複写結果から電子化された情報の検索を容易にし、資源や時間の無駄を無くすことができる画像形成装置に関するものである。
【背景技術】
【０００２】
近年、原稿の光学的画像情報を読み取り、デジタル画像情報に変換するスキャナ部と、スキャナ部により変換された前記デジタル画像情報を記憶する画像情報記憶部と、画像情報記憶部に記憶した前記デジタル画像情報を印刷用紙にプリントするプリンタ部と、画像情報記憶部に記憶した前記デジタル画像情報を光ディスクに記録するための光ディスクドライブ装置とを有し、画像情報記憶部に記憶した前記デジタル画像情報を、プリンタ部により印刷用紙にプリントするか、光ディスクドライブ装置により光ディスクに記録するか、又はプリンタ部により印刷用紙にプリントすると共に光ディスクドライブ装置により光ディスクに記録するかを選択する選択部を備えた画像形成装置が知られている。
【０００３】
なお、先行技術としては、特許文献１として、複写機において、被複写物の光学的映像をデジタル画像情報に変換する受光部と、この受光部により変換されたデジタル画像情報を記憶する画像記憶部と、前記デジタル画像情報を印刷用紙にプリントするプリンタ部と、交換自在な光ディスクカートリッジに収納された光ディスクに前記デジタル画像情報を記録する光ディスク装置と、前記デジタル画像情報を、前記プリンタ部により印刷用紙にプリントするか、前記光ディスク装置により光ディスクに記録するか、又は前記プリンタ部により印刷用紙にプリントすると共に前記光ディスク装置により光ディスクに記録するかを選択する選択部と、前記画像記憶部に記憶された前記デジタル画像情報を表示する表示部とを備えた技術が開示されている。
【特許文献１】特開平２−２０９６０号公報
【発明の開示】
【発明が解決しようとする課題】
【０００４】
これら従来の複写機では、原稿の画像をスキャニング後にデジタル情報に変換し、その画像を印刷用紙にプリントする通常の複写動作に加えて、デジタル情報を光ディスクに記録し電子化した画像情報として保存することが可能である。それらの中には、通常の原稿の複写とほぼ同じ操作で印刷用紙へのプリントと光ディスクへの記録が同時にできるものもあり便利である。
しかしながら、上記従来の複写機においては、プリントした印刷用紙を見ただけでは、電子化した画像情報がどこにあるか、どれなのかが分からないので、せっかく印刷用紙へのプリントと同時にその画像情報を電子化して保存しておいても、プリントした印刷用紙から電子化した画像情報をたどることができず、電子化した画像情報を探すのに苦労することが多い欠点があった。
【０００５】
また、電子化した画像情報が簡単に探し出せない場合は手元にあるプリントした印刷用紙をあらためてスキャニングすれば電子化することができるが、資源や時間の無駄となってしまう。
また、これとは別に、デジタル複写機は原稿を複写した画像情報を電子化して一旦記憶部に記憶しているので、原稿の複写操作終了後にも複写機内に電子化した画像情報が残存しているのではないかといったセキュリティ面での不安があり、残存していないかどうかプリントした印刷用紙を見ただけでは確認することはできない問題もあった。
【０００６】
本発明は、以上の背景に鑑みてなされたものであり、その目的とするところは、複写結果から電子化された情報の検索を容易にし、資源や時間の無駄を無くすことができる画像形成装置を提供することである。
【課題を解決するための手段】
【０００７】
上述の目的を達成するために、請求項１記載の発明は、原稿の光学的画像情報を読み取り、デジタル画像情報に変換するスキャナ部と、前記スキャナ部により変換された前記デジタル画像情報を記憶する画像情報記憶部と、前記画像情報記憶部に記憶した前記デジタル画像情報を印刷用紙にプリントするプリンタ部と、前記画像情報記憶部に記憶した前記デジタル画像情報を光ディスクに記録するための光ディスクドライブ装置と、を備えた画像形成装置であって、前記画像情報記憶部に記憶した前記デジタル画像情報を前記プリンタ部により印刷用紙にプリントするか、前記光ディスクドライブ装置により光ディスクに記録するか、又は前記プリンタ部により印刷用紙にプリントすると共に前記光ディスクドライブ装置により光ディスクに記録するかを選択する選択制御手段と、前記選択制御手段によって前記プリンタ部により印刷用紙にプリントすると共に前記光ディスクドライブ装置により光ディスクに記録するように選択された場合、前記原稿を複写した前記画像情報が前記光ディスクに記録保存されていることを示す識別情報を生成する識別情報を生成手段と、を備え、前記選択制御手段が、前記デジタル画像情報を前記プリンタ部により前記印刷用紙にプリントすると共に前記光ディスクドライブ装置により光ディスクに記録するように選択された場合、前記プリンタ部により前記印刷用紙にプリントされる前記原稿を複写した画像情報に、前記原稿を複写した画像情報が前記光ディスクに記録保存されていることを示す識別情報を付加してプリントするように選択制御することを特徴とする。
【０００８】
また、請求項２記載の発明は、前記選択制御手段が、前記デジタル画像情報を前記プリンタ部により印刷用紙にプリントすると共に前記光ディスクドライブ装置により光ディスクに記録するように選択された場合、さらに、前記原稿を複写した画像情報を記録保存した前記光ディスクのラベル面に、プリントした印刷用紙に付加された前記識別情報と関連付けられた識別情報を付加するように選択制御することを特徴とする。
また、請求項３記載の発明は、前記識別情報が、前記印刷用紙における原稿を複写した画像情報をプリントする面とは反対の面にプリントされることを特徴とする。
また、請求項４記載の発明は、画像形成装置が、さらに使用の際に個人認証を行って操作者個人を特定する検知手段を備えることを特徴とする。
【０００９】
また、請求項５記載の発明は、原稿の光学的画像情報を読み取り、デジタル画像情報に変換するスキャナ部と、前記スキャナ部により変換された前記デジタル画像情報を記憶する画像情報記憶部と、前記画像情報記憶部に記憶した前記デジタル画像情報を印刷用紙にプリントするプリンタ部と、を備えた画像形成装置であって、前記原稿を複写した画像情報を前記プリンタ部により印刷用紙にプリントした後に前記画像情報を前記画像情報記憶部から消去すると共に、前記プリンタ部により前記印刷用紙にプリントされる画像に前記原稿を複写した画像情報に加えて、前記原稿を複写した画像情報を前記画像情報記憶部から消去したことを示す識別情報を付加してプリントするように制御する蓄積選択制御手段を備えることを特徴とする。
【００１０】
また、請求項６記載の発明は、前記画像情報記憶部が、前記印刷用紙へのプリントのために一時的に画像情報を記憶するための一次記憶領域と、前記画像情報の蓄積保存を行うアーカイブ領域とからなり、前記蓄積選択制御手段が、前記一次記憶領域にある前記画像情報を、印刷用紙へのプリントの後に、前記アーカイブ領域に蓄積保存する／しないを選択する選択制御を行うことを特徴とする。
【発明の効果】
【００１１】
本発明によれば、原稿を複写した画像情報が光ディスクに記録保存されていることを示す識別情報が複写された印刷用紙に付加されていると共に、原稿を複写した画像情報を記録保存した光ディスクのラベル面には、プリントした印刷用紙に付加された識別情報が付加され、またそれぞれの識別情報が両者を関連付けられているので、付加された識別情報を見ればその画像情報がどの光ディスクにアーカイブ保存されているということが一目でわかり、中身の見えない光ディスクのラベルを見ただけで判別可能となり、電子化された情報の検索が容易である。
【００１２】
また、印刷用紙に識別情報が付加されていればアーカイブ保存されているということが確認できるので、役目を終えた紙文書の処理において、今後もしかしたら再び参照する可能性がある書類でも、印刷用紙の状態でファイル保存をする必要が無く、またそのときにアーカイブ保存をする必要も無く（廃棄の都度アーカイブ保存を行うのは手間）、その紙文書をそのまま破棄することができる。
【００１３】
また、本発明によれば、原稿を複写した画像情報が画像情報記憶部から消去されていることを示す識別情報が印刷用紙（複写された紙）に付加されているので、画像形成装置による原稿複写工程で情報漏洩なく、セキュリティが保たれていることの確認が容易に可能であり、さらにはセキュリティが保たれているという安心感を容易に得ることができる。
また、本発明によれば、原稿を複写した画像情報を画像記憶部のアーカイブ領域に蓄積保存する／しないことを選択できるので、原稿の複写時においてデータの残存漏洩が無くセキュリティが確保された画像形成装置と、一度複写した原稿を蓄積するファイルサーバー機能を持つ画像形成装置の両立がスイッチひとつの切り替えで容易に可能となる。
【００１４】
また、本発明によれば、識別情報を、原稿を複写した画像情報をプリントする面とは反対の面（裏面）にプリントするができるので、片面原稿の場合は原稿画像と識別情報が重なることがなく原稿の画像を識別情報で妨げることがない。またこの複写した印刷用紙を再度複写する場合には、識別情報が複写先画像に写りこまないので他者に配布するときなどに余計な情報が写りこまなくて便利である。また、識別情報のプリント位置もレイアウトの自由度が高くなる。
【発明を実施するための最良の形態】
【００１５】
以下に添付の図を参照してこの発明の実施形態を詳細に説明する。
図１は、本発明の画像形成装置であるデジタル複写機の一実施形態の外観を示す概略図である。図２は、図１に示した複写機の内部機能ブロック図である。
図１及び図２に示すように、このデジタル複写機は、本体の上面に原稿（被複写物）を載せる原稿トレイ１を持つ原稿送り装置３が設けられている。その原稿送り装置３の下には原稿の画像を読み取るためのラインセンサとＡ／Ｄ変換器等からなるスキャナ部５が設けられている。
本体の内部には画像を記憶する画像記憶部７と、画像を印刷用紙にプリントするプリンタ部９が収められている。また本体正面には、画像記憶部７に記憶した画像情報を光ディスク１１に記録するための光ディスクドライブ装置１３が設けられている。
【００１６】
本体上面の原稿トレイの手前側には操作パネル１５が設けられ、ここで通常の複写機の操作及び光ディスクドライブ装置の操作を行う。また、画像情報をプリンタ部９により印刷用紙にプリントするか、画像記憶部７に記憶するか、又はプリンタ部９により印刷用紙にプリントすると共に光ディスク１１に記録するかを選択するための選択制御部１７の選択スイッチ１９も設けられている。
ここで、選択スイッチ１９の選択を、「画像情報を印刷用紙にプリントすると共に光ディスクに記録する」とした場合には、選択制御部１７の制御に基づいて印刷用紙面や光ディスクのラベル面にプリントする識別情報（アーカイブ情報）の画像が、識別情報の画像生成部２１において生成され画像記憶部７に記憶される。
この識別情報とは、印刷用紙にプリントされて、原稿を複写した画像情報が光ディスク１１にも記録保存されていることを示すものであり、光ディスク１１のラベル面にプリントされた識別情報は原稿を複写した画像情報が印刷用紙にもプリントされていることを示すものである。また、それぞれの識別情報は両者を関連付けるものである。
【００１７】
なお、この実施形態では、画像情報を印刷用紙にプリントするか、画像記憶部７に記憶するか、又はプリンタ部９により印刷用紙にプリントすると共に光ディスク１１に記録するかを選択するための制御部として選択制御部１７を別個に設ける構成としたが、この複写機全体を制御する制御部２２に含めるように構成しても良い。
また、本体下側にはコピー用紙を収納した給紙トレイ２３が設けられ、また本体中央付近には空間が設けられ、複写された印刷用紙を受ける排紙部２５となっている。
【００１８】
次に、図１、図２及び図３を参照して、上記複写機の動作について説明する。図３は、第１実施形態の複写機の要部の動作フローチャートである。
図３のステップ１０１において、原稿送り装置３の原稿トレイ１の上に原稿をセットし、操作パネル１５上に設けられた選択スイッチ１９を、「画像情報を印刷用紙にプリントすると共に光ディスクに記録する」ように選択する。そして、操作パネル１５にあるコピースタートボタン２７を押すと原稿送り装置が原稿を送り、スキャナ部５のラインセンサが原稿の画像を光学的に読み取り、さらにＡ／Ｄ変換器によってデジタル画像に変換されて画像記憶部７に記憶される（ステップ１０３）。
【００１９】
ここで、選択スイッチ１９を上述したように選択しているので、選択制御部１７の制御に基づいて紙面や光ディスク１１のラベル面にプリントする識別情報（アーカイブ情報）の画像が、識別情報の画像生成部２１において生成され画像記憶部７に記憶される（ステップ１０５）。
プリンタ部９は画像記憶部７に記憶されている画像情報を元に、原稿を複写した画像情報に加えて原稿を複写した画像情報が光ディスクに記録保存されていることを示す識別情報もあわせてプリントし、プリントされた印刷用紙は本体中央付近の空間にあるコピー受けに排出される（ステップ１０７）。
また、光ディスクドライブ装置１３は、画像記憶部７に記憶されている画像情報を元に、原稿を複写した画像情報を記録することに加えて原稿を複写した画像情報が印刷用紙にもプリントされていることを示す識別情報を光ディスク１１のラベル面にプリントする（ステップ１０９）。
【００２０】
なお、これらの識別情報の内容は、コピースタート前に操作パネルを操作することにより、「アーカイブ済」、「電子化済」、「保存済」等々の文字情報、任意の記号や絵など、アーカイブ日時、画像記憶部に記憶したファイルのファイル名、などから複数の項目を適宜選択が可能であり、またそれらの情報を取り込んだバーコードにして表示することもできる。
また、識別情報のプリント位置は適宜選択が可能で、紙面へのプリントに関しては原稿を複写した画像情報をプリントする面とは反対の面（裏面）にプリントすることもできる。
【００２１】
このように本実施例によれば、原稿を複写した画像情報が光ディスク１１に記録保存されていることを示す識別情報が複写された印刷用紙に付加されていると共に、原稿を複写した画像情報を記録保存した光ディスク１１のラベル面には、プリントした印刷用紙に付加された識別情報が付加され、またそれぞれの識別情報が両者を関連付けられているので、付加された識別情報を見ればその画像情報がどの光ディスク１１にアーカイブ保存されているということが一目でわかり、中身の見えない光ディスク１１のラベルを見ただけで判別可能となり、電子化された情報の検索が容易である。
また、印刷用紙に識別情報が付加されていればアーカイブ保存されているということが確認できるので、役目を終えた紙文書の処理において、今後もしかしたら再び参照する可能性がある書類でも、紙の状態でファイル保存をする必要が無く、またそのときにアーカイブ保存をする必要も無く（廃棄の都度アーカイブ保存を行うのは手間）、その紙文書をそのまま破棄することができる。
【００２２】
次に、本発明によるデジタル複写機の第２実施形態について説明する。図４は、本発明によるデジタル複写機の第２実施形態の外観図である。図５は、図４に示した複写機の内部機能ブロック図である。
この第２実施形態は、複写機使用の際に、個人認証を行って操作者個人を特定する点が図１〜３に示した第１実施形態と異なっている。
この第２実施形態によるデジタル複写機は、使用の際には個人認証を行って操作者個人を特定することが必要なデジタル複写機となっている。個人の特定の方法は、たとえば、個人のＩＤ情報が入ったＩＣカード社員証を社員一人一人が持っているオフィスにおいて、そのＩＣカード社員証を携帯した状態でデジタル複写機に近づく、もしくはデジタル複写機の特定部分にＩＣカード社員証をかざす／接触させるなどによって行うものである。
図４に示すように、このデジタル複写機には、ＩＣカード社員証の個人認証情報を検知するＩＣカード検知部２８が備わっており、このＩＣカード検知部２８は、制御部２２に接続され、制御部２２により個人認証が行なわれるようになっている。他の構成は、図１〜３に示した第１実施形態と同様である。
【００２３】
次に、図４、図５及び図６を参照して、上記複写機の動作について説明する。図６は、本発明を実施した複写機（第２実施形態）の要部の動作フローチャートである。
図６のステップ２００において、ＩＣカード社員証を携帯した状態でデジタル複写機に近づくことで個人の特定がなされ、自動的に使用可能な状態となる。
次に、原稿送り装置３の原稿トレイ１の上に原稿をセットし、操作パネル１５上に設けられた選択スイッチ１９を、「画像情報を印刷用紙にプリントすると共に光ディスクに記録する」ように選択する（ステップ２０１）。そして、操作パネル１５にあるコピースタートボタン２７を押すと原稿送り装置が原稿を送り、スキャナ部５のラインセンサが原稿の画像を光学的に読み取り、さらにＡ／Ｄ変換器によってデジタル画像に変換されて画像記憶部７に記憶される（ステップ２０３）。
ここで、選択スイッチ１９を上述したように選択しているので、選択制御部１７の制御に基づいて紙面や光ディスク１１のラベル面にプリントする識別情報（アーカイブ情報）の画像が、識別情報の画像生成部２１において生成され画像記憶部７に記憶される（ステップ２０５）。
【００２４】
プリンタ部９は画像記憶部７に記憶されている画像情報を元に、原稿を複写した画像情報に加えて原稿を複写した画像情報が光ディスクに記録保存されていることを示す識別情報もあわせてプリントし、プリントされた印刷用紙は本体中央付近の空間にあるコピー受けに排出される（ステップ２０７）。
また、光ディスクドライブ装置１３は、画像記憶部７に記憶されている画像情報を元に、原稿を複写した画像情報を記録することに加えて原稿を複写した画像情報が印刷用紙にもプリントされていることを示す識別情報を光ディスク１１のラベル面にプリントする（ステップ２０９）。
【００２５】
なお、これらの識別情報の内容は、コピースタート前に操作パネルを操作することにより、「アーカイブ済」、「電子化済」、「保存済」等々の文字情報、任意の記号や絵など、アーカイブ日時、画像記憶部に記憶したファイルのファイル名、使用者の名前、などから複数の項目を適宜選択が可能であり、またそれらの情報を取り込んだバーコードにして表示することもできる。
また、文字、記号、絵などを個人ごとにそれぞれ設定すれば、その使用者個人だけのユニークな識別情報を持たせることも可能であり、さらにそれらをあらかじめ登録しておけば、使用時にその都度設定することなく自動的にプリントさせることができる。
識別情報のプリント位置は適宜選択が可能で、紙面へのプリントに関しては原稿を複写した画像情報をプリントする面とは反対の面（裏面）にプリントすることもできる。
【００２６】
また、光ディスク１１への記録について、この光ディスクドライブ装置１３が複数の光ディスク１１を同時に扱えるものであれば、複写機の使用時に個人認証を行って操作者個人を特定できているので個人ごとに別々の光ディスク１１へ振り分けて記録することができる。
また、光ディスクドライブ装置１３が一枚の光ディスク１１しか扱えないものであっても、印刷用紙へのプリントと同時には光ディスク１１に記録せずにその画像情報を画像記憶部に蓄積しておき、あとで自分用の光ディスク１１をセットしたときに自分のＩＤがついている画像情報のみをその光ディスクへ記録するといった使い方も可能である。
その後、使用者がある一定のエリアから離れれば、デジタル複写機は初期状態に戻る。なお個人を特定する方法は上記ＩＣカードによるものに限らず、バイオメトリックスによる個人認証や暗証番号などその他の方法で行っても構わない。
【００２７】
このように、この第２実施形態によれば、原稿を複写した画像情報が光ディスクに記録保存されていることを示す識別情報が複写された印刷用紙に付加されていると共に、原稿を複写した画像情報を記録保存した光ディスクのラベル面には、プリントした印刷用紙に付加された識別情報が付加され、またそれぞれの識別情報が両者を関連付けられているので、付加された識別情報を見ればその画像情報がどの光ディスクにアーカイブ保存されているということが一目でわかり、中身の見えない光ディスクのラベルを見ただけで判別可能となり、電子化された情報の検索が容易である。
【００２８】
また、印刷用紙に識別情報が付加されていればアーカイブ保存されているということが確認できるので、役目を終えた紙文書の処理において、今後もしかしたら再び参照する可能性がある書類でも、印刷用紙の状態でファイル保存をする必要が無く、またそのときにアーカイブ保存をする必要も無く（廃棄の都度アーカイブ保存を行うのは手間）、その紙文書をそのまま破棄することができる。
また、使用時の個人特定を行っているので、光ディスクに画像情報を記録する場合に、個人ごとに別々の光ディスクへ振り分けての記録が容易に可能である。
【００２９】
次に、本発明によるデジタル複写機の第３実施形態について説明する。図７は、本発明によるデジタル複写機の第３実施形態の外観図である。図８は、図７に示した複写機の内部機能ブロック図である。
この第３実施形態は、原稿を複写した画像情報が画像記憶部７から消去されていることを示す識別情報を印刷用紙（複写された印刷用紙）に付加するようにし、セキュリティが保たれていることの確認を容易にしたものである。
【００３０】
図７及び図８に示すように、このデジタル複写機は、本体の上面に原稿（被複写物）を載せる原稿トレイ１を持つ原稿送り装置３が設けられている。その原稿送り装置３の下には原稿の画像を読み取るためのスキャナ部５が設けられ、本体の内部には画像を記憶する画像記憶部７と、画像を印刷用紙にプリントするプリンタ部９が収められている。本体上面の原稿トレイ１の手前側には操作パネル１５が設けられ、ここで通常の複写機の操作を行う。
識別情報の画像生成部３１は、制御部３０の制御の下に原稿を複写した画像情報を画像記憶部７から消去したことを示すための識別情報を生成するところであり、この識別情報は、プリンタ部９において、原稿を複写した画像情報を印刷用紙にプリントするのに加えて、印刷用紙にプリントするものである。本体下側にはコピー用紙を収納した給紙トレイ２３が設けられ、また本体中央付近には空間が設けられ、複写された印刷用紙を受ける排紙部２５となっている。
【００３１】
次に、図７、図８及び図９を参照して、上記複写機の動作について説明する。図９は、第３実施形態としての複写機の要部の動作フローチャートである。
図９のステップ３０１において、原稿送り装置３の原稿トレイ１の上に原稿をセットして操作パネル１５にあるコピースタートボタン２７を押すと原稿送り装置３が原稿を送り、スキャナ部５のラインセンサが原稿の画像を光学的に読み取り、さらにＡ／Ｄ変換器によってデジタル画像に変換されて画像記憶部７に記憶される。
次に、印刷用紙にプリントする識別情報の画像が、制御部３０の制御の下に識別情報の画像生成部３１において生成され画像記憶部７に記憶される（ステップ３０３）。
プリンタ部９は画像記憶部７に記憶されている画像情報を元に、原稿を複写した画像情報に加えて原稿を複写した画像情報を画像記憶部から消去したことを示す識別情報もあわせてプリントし、プリントされた印刷用紙は本体中央付近の空間にあるコピー受けに排出される（ステップ３０５）。
【００３２】
次に、印刷用紙にプリントされた画像記憶部７内の識別情報及び画像情報が、制御部３０の制御の下に画像記憶部７内から消去される（ステップ３０７）。
なお、この識別情報の内容は、コピースタート前に操作パネルを操作することにより、「複写時電子データ消去済」等々の文字情報、任意の記号や絵、などから複数の項目を適宜選択が可能であり、またそれらの情報を取り込んだバーコードにして表示することもできる。識別情報のプリント位置は適宜選択が可能で、紙面へのプリントに関しては原稿を複写した画像情報をプリントする面とは反対の面（裏面）にプリントすることもできる。
【００３３】
このように、この第３実施形態によれば、原稿を複写した画像情報が画像情報記憶部から消去されていることを示す識別情報が印刷用紙（複写された印刷用紙）に付加されているので、複写機による原稿複写工程で情報漏洩なく、セキュリティが保たれていることの確認が容易に可能であり、さらにはセキュリティが保たれているという安心感を容易に得ることができる。
【００３４】
次に、本発明によるデジタル複写機の第４実施形態について説明する。図１０は、本発明によるデジタル複写機の第４実施形態の外観図である。図１１は、図１０に示した複写機の内部機能ブロック図である。
この第４実施形態は、画像記憶部に、一次記憶領域７ａとアーカイブ領域７ｂとを設け、原稿を複写した画像情報を画像記憶部のアーカイブ領域に蓄積保存する／しないことを選択できるようにし、原稿の複写時においてデータの残存漏洩が無くセキュリティが確保された複写機と、一度複写した原稿を蓄積するファイルサーバー機能を持つ複写機の両立がスイッチひとつの切り替えで容易にできるようにしたものである。
【００３５】
図１０及び図１１に示すように、このデジタル複写機は、本体の上面に原稿（被複写物）を載せる原稿トレイ１を持つ原稿送り装置３が設けられている。その原稿送り装置３の下には原稿の画像を読み取るためのスキャナ部５が設けられ、本体の内部には画像を記憶する画像記憶部７と、画像を印刷用紙にプリントするプリンタ部９が収められている。画像記憶部７は、印刷用紙へのプリント時に一時的に画像情報を記憶するための一次記憶領域７ａと、画像情報の蓄積保存を行うアーカイブ領域７ｂとからなっている。本体上面の原稿トレイ１の手前側には操作パネル１５が設けられ、ここで通常の複写機の操作を行う。
また、前述した画像記憶部７の一次記憶領域７ａにある画像情報を、アーカイブ領域７ｂに蓄積保存する／しないの選択を行うための蓄積選択制御部４０の蓄積選択スイッチ４１もここに設けられている。
【００３６】
識別情報の画像生成部４２は、原稿を複写した画像情報を画像記憶部７の一次記憶領域７ａから同じく画像記憶部７のアーカイブ領域７ｂに蓄積保存した／していない、という識別情報を生成するところであり、プリンタ部９において、原稿を複写した画像情報を印刷用紙にプリントするのに加えて、この識別情報が印刷用紙にプリントされるものである。
前述した蓄積選択制御部４０の選択を、「画像記憶部の一次記憶領域にある画像情報を、アーカイブ領域に蓄積保存しない」とした場合には、原稿を複写した画像情報を画像記憶部７から消去（一次記憶領域に記憶されたデータは複写動作後自動的に消去される）したことを示すための識別情報が、識別情報の画像生成部４２において生成され画像記憶部７の一次記憶領域７ａに記憶される。
【００３７】
また、蓄積選択制御部４０の選択を、「画像記憶部の一次記憶領域にある画像情報を、アーカイブ領域に蓄積保存する」とした場合には、原稿を複写したの画像情報を、蓄積保存したことを示すための識別情報が、識別情報の画像生成部４２において生成され画像記憶部７の一次記憶領域７ａに記憶される。
本体下側にはコピー用紙を収納した給紙トレイ２３が設けられ、また本体中央付近には空間が設けられ、複写された印刷用紙を受ける排紙部２５となっている。
【００３８】
次に、図１０、図１１及び図１２を参照して、上記複写機の動作について説明する。図１２は、本発明を実施した複写機（第４実施形態）の要部の動作フローチャートである。
図１２のステップ４０１において、原稿送り装置３の原稿トレイ１の上に原稿をセットし、操作パネル１５上に設けられた蓄積選択制御部４０の蓄積選択スイッチ４１を、「（一次記憶領域にある）画像情報を、（アーカイブ領域に）蓄積保存する」、もしくは「（一次記憶領域にある）画像情報を、（アーカイブ領域に）蓄積保存しない」のどちらかに選択する。
次に、操作パネル１５にあるコピースタートボタン２７を押すと原稿送り装置３が原稿を送り、スキャナ部５のラインセンサが原稿の画像を光学的に読み取り、さらにＡ／Ｄ変換器によってデジタル画像に変換されて画像記憶部７の一次記憶領域７ａに記憶される（ステップ４０３）。
【００３９】
また、印刷用紙にプリントする識別情報の画像が、識別情報の画像生成部４２において生成され画像記憶部７の一次記憶領域７ａに記憶される（ステップ４０５）。プリンタ部９は画像記憶部７の一次記憶領域７ａに記憶されている画像情報を元に、原稿を複写した画像情報に加えて識別情報もあわせてプリントし、プリントされた印刷用紙は本体中央付近の空間にあるコピー受けに排出される（ステップ４０７）。
ここで、蓄積選択制御部４０の選択を、「画像情報を、蓄積保存する」を選択した場合は、原稿を複写した画像情報に加えて、原稿を複写した画像情報を画像記憶部７のアーカイブ領域７ｂに蓄積保存することを示す識別情報もあわせてプリントすると共に、原稿を複写した画像情報を画像記憶部７のアーカイブ領域７ｂに蓄積保存する。
【００４０】
また、蓄積選択制御部４０の選択を、「画像情報を、蓄積保存しない」を選択した場合は、原稿を複写した画像情報に加えて、原稿を複写した画像情報を画像記憶部７のアーカイブ領域７ｂに蓄積保存しないことを示す識別情報もあわせてプリントする。ここで、画像記憶部の一次記憶領域にある画像情報は自動的に消去される。
なお、この識別情報の内容はコピースタート前に操作パネルを操作することにより、文字情報、任意の記号や絵などから複数の項目を適宜選択が可能であり、またそれらの情報を取り込んだバーコードにして表示することもできる。
また、識別情報のプリント位置は適宜選択が可能で、紙面へのプリントに関しては原稿を複写した画像情報をプリントする面とは反対の面（裏面）にプリントすることもできる。また、複写した印刷用紙を他者に配布するときなどのために、識別情報のプリントをしないように任意に選択切り替えが可能である。
【００４１】
このように、この第４実施形態によれば、原稿を複写した画像情報を画像記憶部のアーカイブ領域に蓄積保存する／しないことを選択できるので、原稿の複写時においてデータの残存漏洩が無くセキュリティが確保された複写機と、一度複写した原稿を蓄積するファイルサーバー機能を持つ複写機の両立がスイッチひとつの切り替えで容易に可能となる。
【図面の簡単な説明】
【００４２】
【図１】本発明によるデジタル複写機の一実施形態の外観を示す概略図である。
【図２】図１に示した複写機の内部機能ブロック図である。
【図３】第１実施形態にかかる複写機の要部の動作フローチャートである。
【図４】本発明によるデジタル複写機の第２実施形態の外観図である。
【図５】図４に示した複写機の内部機能ブロック図である。
【図６】第２実施形態にかかる複写機の要部の動作フローチャートである。
【図７】第３実施形態にかかる複写機の外観図である。
【図８】図７に示した複写機の内部機能ブロック図である。
【図９】第３実施形態にかかる複写機の要部の動作フローチャートである。
【図１０】第４実施形態にかかるデジタル複写機の外観図である。
【図１１】図１０に示した複写機の内部機能ブロック図である。
【図１２】第４実施形態にかかる複写機の要部の動作フローチャートである。
【符号の説明】
【００４３】
１…原稿トレイ、５…スキャナ部、７…画像記憶部、７ａ…一次記憶領域、７ｂ…アーカイブ領域、９…プリンタ部、１１…光ディスク、１３…光ディスクドライブ装置、１５…操作パネル、１７…選択制御部、１９…選択スイッチ、２１…画像生成部、２２…制御部、２３…給紙トレイ、２５…排紙部、２７…コピースタートボタン、２８…ＩＣカード検知部、３０…制御部、３１…画像生成部、４０…蓄積選択制御部、４１…蓄積選択スイッチ、４２…画像生成部
【図１】
2008078834.tif 000003
【図２】
2008078834.tif 000004
【図３】
2008078834.tif 000005
【図４】
2008078834.tif 000006
【図５】
2008078834.tif 000007
【図６】
2008078834.tif 000008
【図７】
2008078834.tif 000009
【図８】
2008078834.tif 000010
【図９】
2008078834.tif 000011
【図１０】
2008078834.tif 000012
【図１１】
2008078834.tif 000013
【図１２】
2008078834.tif 000014